(57)【要約】【課題】制限されたウェブページの提供を了承または拒否するための認証ページにおいて、利用者が制限されたウェブページの提供を拒否する操作をした場合に無駄なく収益を上げることを可能にする。【解決手段】リンクサーバ２は、複数のウェブサイトの場所を含むウェブサイト情報を記憶するウェブサイト情報記憶手段１１と、呼び出された回数をカウントするカウント手段１３と、ウェブサイト情報記憶手段１１からウェブサイトの場所を一つ取り出し、リンク先情報として呼び出し元の携帯電話端末４等に提供するリンク情報提供手段１４とを有し、制限ウェブサーバ１の認証ページによって提供を拒否する選択が行われた際、この選択によって呼び出された回数をカウントし、呼び出し回数に応じてウェブサイト情報記憶手段１１からウェブサイトの場所を一つ取り出し、リンク先情報として呼び出し元に提供する。【選択図】  図１
2005056153.tif 000002
【特許請求の範囲】
【請求項１】
制限されたウェブページの提供を了承または拒否する選択を行うウェブページによって前記拒否する選択が行われた際に呼び出されるリンクサーバであって、
複数のウェブサイトの場所を含むウェブサイト情報を記憶するウェブサイト情報記憶手段と、
呼び出された回数をカウントするカウント手段と、
同カウント手段によりカウントした呼び出し回数に応じて前記ウェブサイト情報記憶手段からウェブサイトの場所を一つ取り出し、リンク先情報として呼び出し元に提供するリンク情報提供手段と
を備えたリンクサーバ。
【請求項２】
前記ウェブサイト情報記憶手段に記憶するウェブサイト情報は、前記複数のウェブサイトのそれぞれの呼び出し回数を含むものであり、
前記リンク情報提供手段は、前記ウェブサイト情報記憶手段からウェブサイトの場所を取り出す際に、前記ウェブサイト情報記憶手段に記憶されたウェブサイトの呼び出し回数が最小のものを取り出すものであり、
前記カウント手段は、前記リンク情報提供手段によって取り出すウェブサイトの呼び出し回数を加算するものである
請求項１記載のリンクサーバ。
【請求項３】
前記ウェブサイト情報記憶手段に記憶するウェブサイト情報は、前記複数のウェブサイトのそれぞれの呼び出しの優先度を含むものであり、
前記リンク情報提供手段は、前記ウェブサイト情報記憶手段からウェブサイトの場所を取り出す際に、前記ウェブサイト情報記憶手段に記憶されたウェブサイトの呼び出しの優先度に応じてウェブサイトを取り出すものである
請求項１または２に記載のリンクサーバ。
【請求項４】
前記呼び出し元の情報通信端末の種類を判別する端末判別手段を備え、
前記ウェブサイト情報記憶手段に記憶するウェブサイト情報は、前記複数のウェブサイトのそれぞれを閲覧可能な情報通信端末の種類に関する閲覧可能端末情報を含むものであり、
前記リンク情報提供手段は、前記ウェブサイト情報記憶手段からウェブサイトの場所を取り出す際に、前記端末判別手段により判別した情報通信端末の種類および前記ウェブサイト情報記憶手段に記憶された閲覧可能端末情報に応じてウェブサイトを取り出すものである
請求項１から３のいずれかに記載のリンクサーバ。
【請求項５】
制限されたウェブページの提供を了承または拒否する選択を行うウェブページによって前記拒否する選択が行われた際に呼び出されるリンクサーバとしてコンピュータを機能させるためのリンクプログラムであって、
前記コンピュータを、
複数のウェブサイトの場所を含むウェブサイト情報を記憶するウェブサイト情報記憶手段と、
呼び出された回数をカウントするカウント手段と、
同カウント手段によりカウントした呼び出し回数に応じて前記ウェブサイト情報記憶手段からウェブサイトの場所を一つ取り出し、リンク先情報として呼び出し元に提供するリンク情報提供手段と
して機能させるためのリンクプログラム。
【請求項６】
前記ウェブサイト情報記憶手段に記憶するウェブサイト情報は、前記複数のウェブサイトのそれぞれの呼び出し回数を含むものであり、
前記リンク情報提供手段は、前記ウェブサイト情報記憶手段からウェブサイトの場所を取り出す際に、前記ウェブサイト情報記憶手段に記憶されたウェブサイトの呼び出し回数が最小のものを取り出すものであり、
前記カウント手段は、前記リンク情報提供手段によって取り出すウェブサイトの呼び出し回数を加算するものである
請求項５記載のリンクプログラム。
【請求項７】
前記ウェブサイト情報記憶手段に記憶するウェブサイト情報は、前記複数のウェブサイトのそれぞれの呼び出しの優先度を含むものであり、
前記リンク情報提供手段は、前記ウェブサイト情報記憶手段からウェブサイトの場所を取り出す際に、前記ウェブサイト情報記憶手段に記憶されたウェブサイトの呼び出しの優先度に応じてウェブサイトを取り出すものである
請求項５または６に記載のリンクプログラム。
【請求項８】
前記コンピュータを、前記呼び出し元の情報通信端末の種類を判別する端末判別手段として機能させ、
前記ウェブサイト情報記憶手段に記憶するウェブサイト情報は、前記複数のウェブサイトのそれぞれを閲覧可能な情報通信端末の種類に関する閲覧可能端末情報を含むものであり、
前記リンク情報提供手段は、前記ウェブサイト情報記憶手段からウェブサイトの場所を取り出す際に、前記端末判別手段により判別した情報通信端末の種類および前記ウェブサイト情報記憶手段に記憶された閲覧可能端末情報に応じてウェブサイトを取り出すものである
請求項５から７のいずれかに記載のリンクプログラム。
【請求項９】
制限されたウェブページの提供を了承または拒否する選択を行うウェブページによって前記拒否する選択が行われた際のリンク方法であって、
複数のウェブサイトの場所を含むウェブサイト情報をウェブサイト情報記憶手段に予め記憶しておき、
前記拒否する選択によって呼び出された回数をカウントし、
このカウントした呼び出し回数に応じて前記ウェブサイト情報記憶手段からウェブサイトの場所を一つ取り出し、リンク先情報として呼び出し元に提供する
リンク方法。
【請求項１０】
前記ウェブサイト情報記憶手段に、前記複数のウェブサイトのそれぞれの呼び出し回数を記憶しておき、
前記ウェブサイト情報記憶手段からウェブサイトの場所を取り出す際に、前記ウェブサイト情報記憶手段に記憶されたウェブサイトの呼び出し回数が最小のものを取り出すとともに、この取り出したウェブサイトの呼び出し回数を加算する
請求項９記載のリンク方法。
【請求項１１】
前記ウェブサイト情報記憶手段に、前記複数のウェブサイトのそれぞれの呼び出しの優先度を記憶しておき、
前記ウェブサイト情報記憶手段からウェブサイトの場所を取り出す際に、前記ウェブサイト情報記憶手段に記憶されたウェブサイトの呼び出しの優先度に応じてウェブサイトを取り出す
請求項９または１０に記載のリンク方法。
【請求項１２】
前記ウェブサイト情報記憶手段に、前記複数のウェブサイトのそれぞれを閲覧可能な情報通信端末の種類に関する閲覧可能端末情報を記憶しておき、
前記呼び出し元の情報通信端末の種類を判別し、
前記ウェブサイト情報記憶手段からウェブサイトの場所を取り出す際に、前記判別した情報通信端末の種類および前記ウェブサイト情報記憶手段に記憶された閲覧可能端末情報に応じてウェブサイトを取り出す
請求項９から１１のいずれかに記載のリンク方法。
【発明の詳細な説明】
【技術分野】
【０００１】
本発明は、電気通信回線を介して接続する情報通信端末に対して複数のウェブサイトへのリンクを提供するリンクサーバおよびリンクプログラム並びにリンク方法に関する。
【背景技術】
【０００２】
インターネット上には、成人を対象とした描写を含むウェブページを公開しているウェブサイトがあるが、青少年保護の観点からこのようなウェブページを提供する前に、例えば、非特許文献１に記載のように利用者の年齢認証を行うのが一般的である（以下、このような認証を行うことによって利用者への提供を制限するウェブページを「制限ページ」と称す。）。
【０００３】
図４は制限ページを提供する前に年齢認証を行うためのウェブページ（以下、このような認証を行うためのウェブページを「認証ページ」と称す。）の例を示している。図４に示すように、認証ページ２０には、利用者が１８歳以上の場合に選択する「はい」ボタン２１と１８歳未満の場合に選択する「いいえ」ボタン２２とが設けられている。「はい」ボタン２１には制限ページへのリンクが張られている。
【０００４】
これにより、利用者が「はい」ボタン２１を選択した場合にのみ、制限ページが利用者に提供されるようになる。一方、「いいえ」ボタン２２には、それ以外のウェブページ（例えば、Ｙａｈｏｏ！（商標）などのポータルサイト）へのリンクが張られているため、利用者が「いいえ」ボタン２２を選択すると、利用者には制限ページ以外のウェブページが提供される。
【０００５】
【非特許文献１】“年齢認証”，［online］，ドリームネット株式会社，［平成１５年７月３１日検索］，インターネット＜ＵＲＬ：http://www.dreamnet.ne.jp/contents/adult/fetigra.html＞
【発明の開示】
【発明が解決しようとする課題】
【０００６】
上記のように従来の認証ページでは、利用者が制限ページの提供を了承するために「はい」ボタン２１を選択した場合、制限ページが利用者に提供されるため、この制限ページの利用者にとっても提供者にとっても有益である。しかしながら、利用者が制限ページの提供を拒否するために「いいえ」ボタン２２を選択した場合、制限ページとは全く関連のないウェブページが単に利用者に提供されるだけであるため、何の利益にもならない。
【０００７】
そこで、本発明では、上記のように制限ページの提供を了承または拒否するための認証ページにおいて、利用者が制限ページの提供を拒否する操作をした場合に無駄なく収益を上げることが可能なリンクサーバおよびリンクプログラム並びにリンク方法を提供することを目的とする。
【課題を解決するための手段】
【０００８】
本発明のリンクサーバは、制限されたウェブページの提供を了承または拒否する選択を行うウェブページによって拒否する選択が行われた際に呼び出されるリンクサーバであって、複数のウェブサイトの場所を含むウェブサイト情報を記憶するウェブサイト情報記憶手段と、呼び出された回数をカウントするカウント手段と、カウント手段によりカウントした呼び出し回数に応じてウェブサイト情報記憶手段からウェブサイトの場所を一つ取り出し、リンク先情報として呼び出し元に提供するリンク情報提供手段とを備えたものである。
【０００９】
この本発明のリンクサーバは、コンピュータを、複数のウェブサイトの場所を含むウェブサイト情報を記憶するウェブサイト情報記憶手段と、呼び出された回数をカウントするカウント手段と、カウント手段によりカウントした呼び出し回数に応じてウェブサイト情報記憶手段からウェブサイトの場所を一つ取り出し、リンク先情報として呼び出し元に提供するリンク情報提供手段として機能させるためのプログラムの実行によって実現可能である。
【００１０】
また、本発明のリンク方法は、制限されたウェブページの提供を了承または拒否する選択を行うウェブページによって拒否する選択が行われた際のリンク方法であって、複数のウェブサイトの場所を含むウェブサイト情報をウェブサイト情報記憶手段に予め記憶しておき、拒否する選択によって呼び出された回数をカウントし、このカウントした呼び出し回数に応じてウェブサイト情報記憶手段からウェブサイトの場所を一つ取り出し、リンク先情報として呼び出し元に提供するものである。
【００１１】
上記本発明のリンクサーバ、リンクプログラムまたはリンク方法によれば、利用者が情報通信端末により、制限ページの提供を拒否する操作をした場合に、呼び出された回数に応じてウェブサイト情報記憶手段に記憶した複数のウェブサイトの中から一つのウェブサイトが取り出され、このウェブサイトの場所がリンク先情報として呼び出し元である利用者の情報通信端末に提供される。
【００１２】
ここで、ウェブサイト情報記憶手段に記憶するウェブサイト情報は、複数のウェブサイトのそれぞれの呼び出し回数を含むものであり、リンク情報提供手段は、ウェブサイト情報記憶手段からウェブサイトの場所を取り出す際に、ウェブサイト情報記憶手段に記憶されたウェブサイトの呼び出し回数が最小のものを取り出すものであり、カウント手段は、リンク情報提供手段によって取り出すウェブサイトの呼び出し回数を加算するものであるとすれば、ウェブサイト情報記憶手段に記憶した複数のウェブサイトの中から呼び出し回数が最小のものから順にウェブサイトが取り出され、このウェブサイトの場所がリンク先情報として呼び出し元である利用者の情報通信端末に提供される。
【００１３】
また、ウェブサイト情報記憶手段に記憶するウェブサイト情報は、複数のウェブサイトのそれぞれの呼び出しの優先度を含むものであり、リンク情報提供手段は、ウェブサイト情報記憶手段からウェブサイトの場所を取り出す際に、ウェブサイト情報記憶手段に記憶されたウェブサイトの呼び出しの優先度に応じてウェブサイトを取り出すものであるとすれば、ウェブサイト情報記憶手段に記憶されたウェブサイトの呼び出しの優先度に応じてウェブサイトが取り出され、このウェブサイトの場所がリンク先情報として呼び出し元である利用者の情報通信端末に提供される。
【００１４】
さらに、本発明のリンクサーバは、呼び出し元の情報通信端末の種類を判別する端末判別手段を備え、ウェブサイト情報記憶手段に記憶するウェブサイト情報は、複数のウェブサイトのそれぞれを閲覧可能な情報通信端末の種類に関する閲覧可能端末情報を含むものであり、リンク情報提供手段は、ウェブサイト情報記憶手段からウェブサイトの場所を取り出す際に、端末判別手段により判別した情報通信端末の種類およびウェブサイト情報記憶手段に記憶された閲覧可能端末情報に応じてウェブサイトを取り出すものであるとするのが望ましい。
【００１５】
これにより、利用者が情報通信端末により、制限ページの提供を拒否する操作をした場合に、この呼び出し元の情報通信端末の種類が判別され、この判別された情報通信端末の種類に応じて閲覧可能なウェブサイトのみがウェブサイト情報記憶手段から取り出され、このウェブサイトの場所がリンク先情報として呼び出し元である利用者の情報通信端末に提供される。
【００１６】
なお、利用者の情報通信端末とは、パーソナルコンピュータ、携帯情報端末（ＰＤＡ；Personal Digital Assistance）や携帯電話端末等の電気通信回線を介してウェブページの提供を受けることが可能なものをいう。
【発明の効果】
【００１７】
（１）複数のウェブサイトの場所を含むウェブサイト情報をウェブサイト情報記憶手段に予め記憶しておき、拒否する選択によって呼び出された回数をカウントし、このカウントした呼び出し回数に応じてウェブサイト情報記憶手段からウェブサイトの場所を一つ取り出し、リンク先情報として呼び出し元に提供する構成により、ウェブサイト情報記憶手段に記憶した複数のウェブサイトのそれぞれの呼び出し回数を、利用者の制限ページの提供を拒否する操作に応じて確実に増加させることができる。これにより、この呼び出し回数の増加に応じて各ウェブサイトへ課金を行うことが可能となり、また、この課金に応じて制限ページの提供者へ報酬を支払うことも可能となり、利用者が制限ページの提供を拒否する操作をした場合に無駄なく収益を上げることが可能となる。
【００１８】
（２）ウェブサイト情報記憶手段に、複数のウェブサイトのそれぞれの呼び出し回数を記憶しておき、ウェブサイト情報記憶手段からウェブサイトの場所を取り出す際に、ウェブサイト情報記憶手段に記憶されたウェブサイトの呼び出し回数が最小のものを取り出すとともに、この取り出したウェブサイトの呼び出し回数を加算する構成により、ウェブサイト情報記憶手段に記憶した複数のウェブサイトのそれぞれの呼び出し回数を、利用者の制限ページの提供を拒否する操作に応じて均一に増加させることができる。
【００１９】
（３）ウェブサイト情報記憶手段に、複数のウェブサイトのそれぞれの呼び出しの優先度を記憶しておき、ウェブサイト情報記憶手段からウェブサイトの場所を取り出す際に、ウェブサイト情報記憶手段に記憶されたウェブサイトの呼び出しの優先度に応じてウェブサイトを取り出す構成により、ウェブサイト情報記憶手段に記憶した複数のウェブサイトのそれぞれの呼び出し回数を、各ウェブサイトにそれぞれ設定した優先度に応じて増加させることができる。これにより、各ウェブサイトのそれぞれに設定した優先度に応じて各ウェブサイトへ課金を行うことが可能となる。
【００２０】
（４）ウェブサイト情報記憶手段に、複数のウェブサイトのそれぞれを閲覧可能な情報通信端末に関する情報を記憶しておき、呼び出し元の情報通信端末の種類を判別し、ウェブサイト情報記憶手段からウェブサイトの場所を取り出す際に、判別した情報通信端末の種類およびウェブサイト情報記憶手段に記憶された閲覧可能端末情報に応じてウェブサイトを取り出す構成とすることにより、閲覧不可能なウェブサイトが情報通信端末に対して提供されることがなくなり、閲覧可能なウェブサイトが情報通信端末に対して提供される有効な呼び出しに対してのみ呼び出し回数を増加させることができる。これにより、各ウェブサイトがそれぞれ閲覧可能な情報通信端末に対して提供された場合のみ課金することが可能となる。
【発明を実施するための最良の形態】
【００２１】
図１は本発明の実施の形態におけるリンクシステムの構成図である。
【００２２】
図１において、本発明の実施の形態におけるリンクシステムは、制限ページを公開しているウェブサイトのウェブサーバ（以下、「制限ウェブサーバ」と称す。）１と、ウェブサーバ１の認証ページによって呼び出されるリンクサーバ２と、リンクサーバ２によってリンクされた一般のウェブページを公開しているウェブサイトのウェブサーバ（以下、「一般ウェブサーバ」と称す。）３と、制限ウェブサーバ１、リンクサーバ２や一般ウェブサーバ３等に対して電気通信回線としてのインターネットを介して接続可能な情報通信端末としての携帯電話端末４やパーソナルコンピュータ（図示せず。）等とにより構成される。
【００２３】
制限ウェブサーバ１は、制限ページ、すなわち成人を対象とした描写を含むウェブページなどの閲覧を制限されたウェブページを、インターネットを介して携帯電話端末４等に提供するものである。但し、制限ウェブサーバ１によって提供される制限ページのトップページには、図４に示すような年齢認証等の認証を行うための認証ページ２０が組み込まれている。
【００２４】
前述のように、図４に示す認証ページ２０には、利用者が１８歳以上の場合に選択、すなわち制限ページの提供を了承するための「はい」ボタン２１と、１８歳未満の場合に選択、すなわち制限ページの提供を拒否するための「いいえ」ボタン２２とが設けられている。「はい」ボタン２１には制限ページへのリンクが張られており、「いいえ」ボタン２２には、リンクサーバ２へのリンクが張られている。
【００２５】
リンクサーバ２は、図１に示すように、一般ウェブサーバ３上の複数のウェブサイトの場所を含むウェブサイト情報を記憶するウェブサイト情報記憶手段１１と、呼び出し元の携帯電話端末４等の種類を判別する端末種類判別手段１２と、呼び出された回数をカウントするカウント手段１３と、ウェブサイト情報記憶手段１１からウェブサイトの場所を一つ取り出し、リンク先情報として呼び出し元の携帯電話端末４等に提供するリンク情報提供手段１４とを有する。リンクサーバ２は、上記各手段１１，１２，１３，１４としてコンピュータを機能させるためのリンクプログラムの実行により実現される。
【００２６】
図２はウェブサイト情報記憶手段１１に記憶されるウェブサイト情報の例を示している。図２に示すように、ウェブサイト情報は、各ウェブサイトＡ〜Ｄの場所を示す情報としてのＵＲＬ（Uniform Resource Locator）、各ウェブサイトＡ〜Ｄを閲覧可能な情報通信端末の種類に関する閲覧可能端末情報（端末種類）、各ウェブサイトＡ〜Ｄの呼び出し回数（アクセス数）、各ウェブサイトＡ〜Ｄの呼び出しの優先度（プライオリティ）を含むものである。
【００２７】
端末種類は、情報通信端末の種類ごとに、各ウェブサイトＡ〜Ｄを閲覧可能かどうかを示す情報である。各ウェブサイトＡ〜Ｄを閲覧可能な情報通信端末（ｉ−ｍｏｄｅ（商標），Ｊ−ｓｋｙ（商標），ＥＺｗｅｂ（商標）やＨ”（商標）などのキャリアおよびＰＣ（パーソナルコンピュータ））については“○”で示されている。
【００２８】
アクセス数は、各ウェブサイトＡ〜Ｄが呼び出された回数を示しており、各ウェブサイトＡ〜Ｄが呼び出される度にカウント手段１３によって加算される。このとき、カウント手段１３は、端末種類判別手段１２によって判別した呼び出し元の情報通信端末の種類に応じて、閲覧可能な情報通信端末についてのみ呼び出し回数を加算する。また、リンク情報提供手段１４は、この閲覧可能な情報通信端末についての呼び出しの場合のみＵＲＬを取り出す。
【００２９】
プライオリティは、各ウェブサイトが呼び出される優先度を設定するための数値である。呼び出される回数を多く設定するためには、この数値を小さくする。図２に示すカウントは、アクセス数とプライオリティの積を示している。リンク情報提供手段１４は、このカウントが最小のものからＵＲＬを一つ取り出し、リンク先情報として呼び出し元の携帯電話端末４等に提供する。
【００３０】
上記構成のリンクシステムによる処理手順について、以下、図３のフロー図に基づいて説明する。
【００３１】
利用者が、携帯電話端末４等の情報通信端末によって制限ウェブサーバ１へアクセスすると（ステップＳ１０１）、制限ウェブサーバ１は、この利用者の携帯電話端末４等に対して図４に示すような認証ページ２０を提供する（ステップＳ１０２）。ここで、利用者が、携帯電話端末４等により認証ページ２０の「いいえ」ボタン２２を選択すると（ステップＳ１０３）、携帯電話端末４等は、この認証ページ２０の「いいえ」ボタン２２にリンクされたリンクサーバ２へアクセスする（ステップＳ１０４）。
【００３２】
リンクサーバ２は、端末種類判別手段１２によって呼び出し元の携帯電話端末４等の種類を判別し（ステップＳ１０５）、リンク情報提供手段１４によってウェブサイト情報記憶手段１１から一つのウェブサイトのＵＲＬを取り出す（ステップＳ１０６）。このとき、リンク情報提供手段１４は、ステップＳ１０５で判別した呼び出し元の携帯電話端末４等により閲覧可能なウェブサイトであって、図２に示すカウントが最小のものからウェブサイトのＵＲＬを一つ取り出す。
【００３３】
そして、リンクサーバ２は、リンク情報提供手段１４によってこの取り出したＵＲＬを呼び出し元の携帯電話端末４等に提供する（ステップＳ１０７）とともに、カウント手段１３によって、この提供したＵＲＬのウェブサイトについて呼び出し回数（図２に示すアクセス数）を加算する（ステップＳ１０８）。一方、利用者は、携帯電話端末４等によりこの提供されたＵＲＬに基づいてウェブサイトを閲覧することができる（ステップＳ１０９）。
【００３４】
上記のように、本実施形態におけるリンクシステムによれば、利用者が、携帯電話端末４等により認証ページ２０の「いいえ」ボタン２２を選択すると、この選択に応じてウェブサイト情報記憶手段１１に記憶した複数のウェブサイトＡ〜ＤのＵＲＬが利用者の携帯電話端末４等に提供され、利用者によって閲覧される。すなわち、ウェブサイト情報記憶手段１１に記憶した複数のウェブサイトＡ〜Ｄのそれぞれの呼び出し回数を、利用者の制限ページの提供を拒否する操作に応じて確実に増加させることができる。
【００３５】
これにより、この呼び出し回数の増加に応じてリンクサーバ２の提供者は、各ウェブサイトへ課金を行うことが可能となり、また、この課金に応じて「いいえ」ボタン２２を設置した制限ウェブサイトの提供者へ報酬を支払うことも可能となり、利用者が制限ページの提供を拒否する操作をした場合に無駄なく収益を上げることが可能となる。
【００３６】
なお、ウェブサイト情報記憶手段１１に記憶されるウェブサイトは、制限ページとは相反して何ら年齢制限等の制限のない一般のウェブページを公開している一般ウェブサーバ３上のウェブサイト（例えば、ショッピングサイト、オークションサイト、コミュニケーションサイト、懸賞サイト、金融系サイト等）である。本実施形態におけるリンクシステムによれば、これらのウェブサイトの呼び出し回数を確実に増加させることができる。
【００３７】
また、本実施形態におけるリンクシステムでは、図２に示すようにウェブサイト情報記憶手段１１に記憶するウェブサイト情報に、複数のウェブサイトＡ〜Ｄのそれぞれの呼び出しの優先度（プライオリティ）を記憶し、この優先度に応じてウェブサイトのＵＲＬを取り出し、携帯電話端末４等に提供するため、ウェブサイトＡ〜Ｄのそれぞれの呼び出し回数が、各ウェブサイトにそれぞれ設定した優先度に応じて増加する。これにより、リンクサーバ２の提供者は、各ウェブサイトのそれぞれに設定した優先度に応じて各ウェブサイトへ課金を行うこともできる。
【００３８】
このように、本実施形態においては、各ウェブサイトのそれぞれに優先度を設定しているが、この優先度を設定しない構成とすることも可能である。この場合、リンク情報提供手段１４は、図２のアクセス数に準じて、ウェブサイトの呼び出し回数が最小のものを取り出すようにする。これにより、ウェブサイト情報記憶手段１１に記憶した複数のウェブサイトＡ〜Ｄのそれぞれの呼び出し回数を、利用者の制限ページの提供を拒否する操作に応じて均一に増加させることができる。
【００３９】
さらに、本実施形態におけるリンクシステムでは、図２に示すようにウェブサイト情報記憶手段１１に記憶するウェブサイト情報に、複数のウェブサイトＡ〜Ｄのそれぞれを閲覧可能な携帯電話端末４等に関する情報を記憶し、呼び出し元の携帯電話端末４等の種類を判別して、閲覧可能なウェブサイトを取り出し、携帯電話端末４等に提供するため、各ウェブサイトＡ〜Ｄへの有効な呼び出しに対してのみ呼び出し回数が増加する。これにより、リンクサーバ２の提供者は、各ウェブサイトＡ〜Ｄがそれぞれ閲覧可能な携帯電話端末４等に対して提供された場合のみ課金することができる。
【産業上の利用可能性】
【００４０】
本発明のリンクサーバおよびリンクプログラム並びにリンク方法は、電気通信回線を介して接続する情報通信端末からの各種ウェブサイトの呼び出し回数を増加させるものとして有用である。
【図面の簡単な説明】
【００４１】
【図１】本発明の実施の形態におけるリンクシステムの構成図である。
【図２】ウェブサイト情報の例を示す図である。
【図３】図１のリンクシステムによる処理手順を示すフロー図である。
【図４】認証ページの例を示す図である。
【符号の説明】
【００４２】
１  制限ウェブサーバ
２  リンクサーバ
３  一般ウェブサーバ
４  携帯電話端末
１１  ウェブサイト情報記憶手段
１２  端末種類判別手段
１３  カウント手段
１４  リンク情報提供手段
２０  認証ページ
【図１】
2005056153.tif 000003
【図２】
2005056153.tif 000004
【図３】
2005056153.tif 000005
【図４】
2005056153.tif 000006